【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
移動通信システムにおいて、パケットデータサービングノードから無線アクセスネットワークへシステムパラメータを送信する方法であって、
移動局のドーマント／アクティブセッションを前記パケットデータサービングノードに対して確立するステップと、
前記パケットデータサービングノードにより、少なくとも１つのシステムパラメータを取得するステップと、
パケットデータサーバと無線アクセスネットワーク間のリンクを喪失することなく、前記パケットデータサービングノードから前記無線アクセスネットワークに前記少なくとも１つのシステムパラメータを送信するステップと
からなる方法。
【請求項２】
前記少なくとも１つのシステムパラメータを送信するステップは、前記少なくとも１つのシステムパラメータを含むセッション更新メッセージを送信するステップを含む、請求項１記載の方法。
【請求項３】
前記無線アクセスネットワークにより、前記更新メッセージを承認するステップをさらに含む、請求項２記載の方法。
【請求項４】
前記無線アクセスネットワークから前記パケットデータサーバへの接続解除を禁止するステップをさらに含む、請求項３記載の方法。
【請求項５】
前記承認ステップは、前記更新メッセージの特定フィールドが予め設定された値と等しく設定されていることを承認するステップを含む、請求項３記載の方法。
【請求項６】
少なくとも１つのパケットデータサービスが確立されている、請求項２記載の方法。
【請求項７】
前記少なくとも１つのシステムパラメータが、サービス品質（ＱｏＳ）パラメータである、請求項１記載の方法。
【請求項８】
前記少なくとも１つのシステムパラメータが、前記少なくとも１つのパケットデータサービスに関連付けられた非活動タイマである、請求項６記載の方法。
【請求項９】
前記非活動タイマは、前記少なくとも１つのパケットデータサービスに関連付けられたパケットデータ非活動タイマを含み、
呼によってサポートされ、前記少なくとも１つのパケットデータサービスに関連付けられた前記パケットデータ非活動タイマを維持するステップをさらに含む、
請求項８記載の方法。
【請求項１０】
前記無線アクセスネットワークは、パケット制御機能と、前記パケット制御機能に接続された基地局とを含み、
前記更新メッセージを送信するステップは、
第１の更新メッセージを前記パケットデータサービングノードから前記パケット制御機能に送信するステップと、
第２の更新メッセージを前記パケット制御機能から前記基地局に送信するステップとを含む、
請求項９記載の方法。
【請求項１１】
前記第２の更新メッセージを送信するステップに応答して、第２の更新メッセージの確認を前記基地局から前記パケット制御機能に送信するステップと、
前記第２の更新メッセージを送信するステップに応答して、第１の更新メッセージの確認を前記パケット制御機能から前記パケットデータサーバに送信するステップと、
をさらに含む、請求項１０記載の方法。
【請求項１２】
パケットデータサービングノード（ＰＤＳＮ）から、基地局（ＢＳ）を含む無線アクセスネットワーク（ＲＡＮ）にパケットデータセッションパラメータを送信する方法であって、
少なくとも１つのパケットデータサービスを得るために、移動局（ＭＳ）から前記ＲＡＮを通り前記ＰＤＳＮに至るパケットデータセッションを確立するステップと、
前記少なくとも１つのパケットデータサービスを得るために、前記ＰＤＳＮにより、少なくとも１つのパケットデータセッションパラメータを取得するステップと、
前記ＰＤＳＮにより、前記少なくとも１つのパケットデータセッションパラメータを含むセッション更新メッセージを生成するステップと、
からなる方法。
【請求項１３】
前記パケットデータセッションパラメータは、パケットデータ非活動タイマを含む、請求項１２記載の方法。
【請求項１４】
前記パケットデータセッションパラメータは、サービス品質（ＱｏＳ）パラメータ、ユーザプロファイル情報、または他のセッションパラメータの少なくとも１つを含む、請求項１２記載の方法。
【請求項１５】
前記セッション更新メッセージは、少なくとも１つのＰＤＳＮコードを含むＡ−１１登録更新メッセージを含む、請求項１２記載の方法。
【請求項１６】
前記ＰＤＳＮにより、セッション更新メッセージをＰＣＦに送信するステップと、
前記ＰＤＳＮにより、セッション更新タイマを始動するステップと、
をさらに含む、請求項１２記載の方法。
【請求項１７】
前記セッション更新メッセージの前記パケットデータセッションパラメータにより、更
新と接続解除とを区別するステップをさらに含む、請求項１６記載の方法。
【請求項１８】
前記ＰＣＦにより、前記セッション更新メッセージを承認するステップと、
特定のＰＤＳＮコードの承認に応答して、前記ＰＣＦにより、前記ＰＤＳＮの接続解除断を禁止するステップと、
をさらに含む、請求項１７記載の方法。
【請求項１９】
前記ＰＣＦにより、新しい理由値と前記パケットデータセッションパラメータを含むＡ９−更新−Ａ８メッセージを前記基地局に送信するステップと、
前記ＰＣＦにより、セッション更新タイマを始動するステップと、
をさらに含む、請求項１２記載の方法。
【請求項２０】
前記Ａ９−更新−Ａ８メッセージに応答して、基地局により、Ａ９−更新−Ａ８応答メッセージを前記ＰＣＦに送信するステップと、
前記ＰＣＦにより、前記セッション更新タイマを停止するステップと、
をさらに含む、請求項１９記載の方法。
【請求項２１】
Ａ９セッション更新応答メッセージに応答して、前記ＰＣＦにより、セッション更新応答メッセージを前記ＰＤＳＮに送信するステップと、
前記ＰＤＳＮにより、セッション更新タイマを停止するステップと、
をさらに含む、請求項２０記載の方法。
【請求項２２】
前記ＰＣＦが前記セッション更新応答メッセージで応答しない場合、前記ＰＤＳＮにより、前記セッション更新メッセージを前記ＰＣＦに構成可能な回数再送するステップと、
前記ＰＤＳＮにより、前記セッション更新タイマを再開するステップと、
をさらに含む、請求項２１記載の方法。
【請求項２３】
前記生成ステップは、接続更新用の特定の値と等しいＰＤＳＮコードを、前記Ａ−１１登録更新メッセージに設定するステップを含む、請求項１５記載の方法。
【請求項２４】
前記生成ステップは、アプリケーションタイプと、アプリケーションサブタイプおよびＰＤＳＮコードとについて、アプリケーションデータフィールドを、前記Ａ１１−登録更新メッセージに設定するステップを含む、請求項２３記載の方法。
【請求項２５】
前記生成ステップは、前記セッション更新メッセージに、前記アプリケーションデータフィールドが前記セッションパラメータを含むことを示すアプリケーションタイプフィールドと、セッションパラメータの形式を示すアプリケーションサブタイプフィールドと、少なくとも１つのセッションパラメータを含むアプリケーションデータフィールドと、を含ませるステップを含む請求項１２記載の方法。
【請求項２６】
前記アプリケーションサブタイプフィールドは、非活動タイマパラメータを示し、前記アプリケーションデータフィールドは、非活動タイマを含む、請求項２５記載の方法。
【請求項２７】
無線アクセスネットワーク（ＲＡＮ）において、パケットデータサービングノード（ＰＤＳＮ）からパケット制御機能（ＰＣＦ）に、少なくとも１つのパケットデータセッションパラメータを送信する方法であって、前記ＲＡＮが基地局（ＢＳ）を含む方法において、
移動局（ＭＳ）から前記ＲＡＮおよび前記パケット制御機能（ＰＣＦ）を通り前記ＰＤＳＮに至るドーマント／アクティブセッションを確立するステップと、
前記少なくとも１つのパケットデータサービスを得るために、前記ＰＤＳＮにより、前
記少なくとも１つのパケットデータセッションパラメータを取得するステップと、
前記ＰＤＳＮにより、前記少なくとも１つのパケットデータセッションパラメータを含むセッション更新メッセージを前記ＰＣＦに転送するステップと、
前記ＢＳによりハンドオフが必要とされるかどうかを判定するステップと、
ＢＳにより、前記ＭＳによってサポートされた各パケットデータサービスの前記少なくとも１つのパケットデータセッションパラメータを含むハンドオフ要求メッセージを移動交換局（ＭＳＣ）に送信するステップと、
からなる方法。
【請求項２８】
各サービスに関連付けられた前記前記少なくとも１つのパケットデータセッションパラメータを含むハンドオフ要求メッセージを、ＭＳＣにより、第２の基地局に送信するステップをさらに含む、請求項２７に記載の方法。
【請求項２９】
前記少なくとも１つのパケットデータセッションパラメータは、パケットデータサービス非活動タイマを含み、
呼によってサポートされ、前記少なくとも１つのパケットデータサービスに関連付けられた前記パケットデータ非活動タイマを維持するステップをさらに含む、請求項２７記載の方法。
【請求項３０】
第１の更新メッセージを前記パケットデータサービングノードから前記パケット制御機能に送信するステップと、
第２の更新メッセージを前記パケット制御機能から前記基地局に送信するステップとを含む、
請求項２９記載の方法。
【請求項３１】
前記第２の更新メッセージを送信するステップに応答して、第２の更新メッセージの確認を前記基地局から前記パケット制御機能に送信するステップと、
前記第２の更新メッセージを送信するステップに応答して、第１の更新メッセージの確認を前記パケット制御機能から前記パケットデータサーバに送信するステップと、
をさらに含む、請求項３０記載の方法。
【請求項３２】
前記少なくとも１つのパケットデータセッションパラメータが、サービス品質（ＱｏＳ）パラメータを含む、請求項２７記載の方法。